(57)【特許請求の範囲】
【請求項１】
害虫の寄生した甘柿果実をくん蒸室に収納し炭酸ガスでくん蒸し害虫を駆除する甘柿果実の炭酸ガスくん蒸方法において、前記くん蒸室の内部温度を温度調整装置により−４℃以上４℃以下に調整することを特徴とする甘柿果実の炭酸ガスくん蒸方法。
【請求項２】
くん蒸室内の炭酸ガス濃度を３０％〜６０％に調整及び維持し、くん蒸処理時間を２４時間〜４８時間とすることを特徴とする請求項１記載の甘柿果実の炭酸ガスくん蒸方法。
【請求項３】
くん蒸室内の炭酸ガス濃度を測定し、濃度が設定値より低下した場合に炭酸ガスを追加投入によりくん蒸室内の炭酸ガス濃度を維持することを特徴とする請求項１または２記載の甘柿果実の炭酸ガスくん蒸方法。
【請求項４】
害虫はカイガラムシ類であることを特徴とする請求項１〜３のいずれかに記載の甘柿果実の炭酸ガスくん蒸方法。
【発明の詳細な説明】
【技術分野】
【０００１】
本発明は、甘柿果実に寄生した害虫をくん蒸により駆除する甘柿果実の炭酸ガスくん蒸方法および炭酸ガスくん蒸装置に関する。
【背景技術】
【０００２】
従来、穀物や果実の炭酸ガスくん蒸による殺虫処理が実施されている。例えば、特公平７−８８２８５号公報には貯蔵玄米害虫の炭酸ガスくん蒸による殺虫方法が開示され、特開２０００−２６２２０９号公報には青果物穀物殺虫装置が開示されている。
【０００３】
しかし甘柿果実については、炭酸ガスの作用により果実の軟化が急速に進行することによる商品価値の低下がおこるため、炭酸ガスくん蒸を行うことができなかった。
【０００４】
また、一般的に低温では害虫の活性が落ち、炭酸ガスによる殺虫の効果が低下すると考えられ、低温での炭酸ガスくん蒸は実施されなかった。
【０００５】
そのため現状では、エアガンを使用した手作業で甘柿果実表面の害虫を吹き飛ばす駆除方法がとられ、多量の柿果実の処理には膨大な時間とハンドリングコストがかかる上に、害虫の残留が多く非効率な作業となっている。
【先行技術文献】
【特許文献】
【０００６】
【特許文献１】特公平７−８８２８５号公報
【特許文献２】特開２０００−２６２２０９号公報
【発明の概要】
【発明が解決しようとする課題】
【０００７】
本発明は、以上のような従来の欠点に鑑み、甘柿果実を商品価値の低下を起こさずに安価で確実に害虫駆除できる炭酸ガスくん蒸方法を提供することを目的としている。
【０００８】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【０００９】
上記目的を達成するために、本発明は、甘柿果実の炭酸ガスくん蒸において、温度調整装置によりくん蒸室内の温度を−４℃以上４℃以下に調整する甘柿果実の炭酸ガスくん蒸方法を構成している。
【発明の効果】
【００１０】
以上の説明から明らかなように、本発明にあっては次に列挙する効果が得られる。
（１）請求項１に係る発明によれば、甘柿果実の炭酸ガスくん蒸において、温度調整装置によりくん蒸室内の温度を−４℃以上４℃以下に調整することで、甘柿果実の軟化を抑制することができ、商品価値の低下を防ぐことができる。また、後述の実験結果のとおり、低温であっても甘柿果実に寄生する害虫を駆除できる。
（２）請求項２も、（１）と同様な効果が得られるとともに、炭酸ガス濃度を３０％〜６０％に調整及び維持することで、果実の軟化による商品価値の低下を防止することができ、１回の処理あたりのくん蒸処理時間が２４時間〜４８時間で迅速な処理ができる。
（３）請求項３も、（２）と同様な効果が得られるとともに、炭酸ガスの果実への吸収や空気の流出によりくん蒸室内の炭酸ガス濃度が低下した場合でも、適切な炭酸ガス濃度を自動で維持することができる。
（４）請求項４も、（２）と同様な効果が得られるとともに、カイガラムシ類の駆除において効果を得ることができる。
（５）請求項５に係る発明により、甘柿果実の炭酸ガスくん蒸において、くん蒸室内の温度を−４℃以上４℃以下に調整する温度調整装置を備えることで甘柿果実の軟化を抑制して商品価値の低下を防ぎ、かつ甘柿果実に寄生する害虫を駆除できる甘柿果実の炭酸ガスくん蒸装置を提供することができる。
【図面の簡単な説明】
【００１１】
【図１】本発明を実施するための第１の形態の概略説明図。
【図２】本発明を実施するための第１の形態による実験のくん蒸室内の温度と二酸化炭素濃度の変化を示す図。
【図３】本発明を実施するための第１の形態による実験の害虫駆除効果を示す図。
【図４】本発明を実施するための第１の形態の温度条件による死虫率を示す図。
【図５】本発明を実施するための第２の形態の概略説明図。
【図６】本発明を実施するための第３の形態の概略説明図。
【発明を実施するための形態】
【００１２】
以下、図面に示す本発明を実施するための形態により、本発明を詳細に説明する。
【００１３】
図１に示す本発明を実施するための第１の形態において、１は本発明の甘柿果実のくん蒸方法で、この甘柿果実のくん蒸方法１は甘柿果実のくん蒸装置２により、害虫の寄生した甘柿果実をくん蒸室に収納する収納工程と、該くん蒸室内部の温度を−４℃以上４℃以下に調整する温度調整工程と、前記くん蒸室内部に炭酸ガスを供給する炭酸ガス供給工程と、くん蒸室内部の炭酸ガス濃度を調整する炭酸ガス濃度調整工程と、甘柿果実のくん蒸を行うくん蒸工程とで構成されている。
【００１４】
甘柿果実のくん蒸装置２は害虫の寄生した甘柿果実４を内部に収納するくん蒸室１０と、このくん蒸室１０内部の温度を−４℃から４℃に調整することができる温度調整装置３０と、前記くん蒸室１０内部に希釈炭酸ガスを供給する希釈炭酸ガス供給装置２０と、前記くん蒸室１０内の炭酸ガス濃度を調整する炭酸ガス濃度調整手段１９とより構成されている。
【００１５】
前記炭酸ガス濃度調整手段１９は、前記くん蒸室１０内のガスの循環を行う循環ブロアー１２と、前記くん蒸室１０内の炭酸ガス濃度を測定する炭酸ガス濃度計１３と、前記くん蒸室１０から空気やガスを排気する排気弁１５を介装した排気路１４で構成されている。
【００１６】
前記希釈炭酸ガス供給装置２０は炭酸ガスが充填された炭酸ガス容器２１と、この炭酸ガス容器からガス混合器２５へ炭酸ガスを供給する炭酸ガス供給路２２と、前記ガス混合器２５に供給された炭酸ガスを希釈するエアーを供給するエアーコンプレッサー２３と、このエアーコンプレッサー２３から前記ガス混合器２５へエアーを供給するエアー供給路２４と、炭酸ガスを所定の濃度にエアーで希釈する前記ガス混合器２５と、前記ガス混合器２５から前記くん蒸室へ希釈炭酸ガスを供給する供給弁２７を介装した希釈炭酸ガス供給路２６で構成されている。この希釈炭酸ガス供給装置２０は、希釈率を調整することにより、炭酸ガスのみやエアーのみの供給を行うこともできる。
【００１７】
前記温度調整装置３０は、前記くん蒸室１０内に設置された温度調整装置室内機３１と、前記くん蒸室１０の外部に設置された温度調整装置室外機３２と、温度調整装置室内機３１および温度調整装置室外機３２を接続し、温度調整装置室内機３１に冷媒を供給する冷媒配管３３とより構成されている。
【００１８】
甘柿果実４は通気性のあるコンテナ５に収納して前記くん蒸室１０に収納する収納工程を行う。その後前記温度調整装置３０により前記くん蒸室内を−４℃から４℃に調整する温度調整工程を行い、前記希釈炭酸ガス供給装置２０により、炭酸ガス濃度３０〜６０％の希釈炭酸ガスを前記くん蒸室１０に供給する炭酸ガス供給工程を行う。その後、余分なくん蒸室内の空気は前記排気路１４より排出し、前記くん蒸室１０内がムラ無く３０〜６０％の炭酸ガス濃度になったら、前記排気弁１５と前記供給弁２７を閉止する炭酸ガス濃度調整工程を行い、くん蒸工程を開始する。
【００１９】
炭酸ガス濃度調整工程においては、前記くん蒸室１０内の炭酸ガス濃度にムラが発生する場合は前記循環ブロアー１２を運転して攪拌を行い炭酸ガス濃度を均一にする。また、前記くん蒸室１０内の炭酸ガス濃度が低下する場合は前記希釈炭酸ガス供給装置により必要に応じて希釈炭酸ガス又は炭酸ガスの追加供給を行う。
【００２０】
前記くん蒸工程は、２４時間〜４８時間の時間くん蒸した後、前記くん蒸室１０の扉を開放する等して内部の希釈炭酸ガスを排出し、くん蒸工程を終了する。
なお、くん蒸を行う際には図２に示すように温度調整装置３０炭酸ガス濃度調整手段１９によりくん蒸室内の温度および炭酸ガス濃度を一定に保って行う。
【００２１】
甘柿果実のくん蒸試験を前記甘柿果実のくん蒸方法１にて実施し、炭酸ガス濃度又はくん蒸室１０内の温度をこれと変更した場合と比較した。
【００２２】
カイガラムシ類が寄生した「富有」、「太秋」などの甘柿果実に前記甘柿果実のくん蒸方法１を実施し、２４〜４８時間処理後、カイガラムシ類の生死の確認を行った。
【００２３】
図３に示すように、前記甘柿果実のくん蒸方法１にて実施した前記材料及び方法の甘柿果実のくん蒸実験において、炭酸ガス濃度３０〜６０％で供試虫の死虫率が大幅に増加した。また、甘柿果実の軟化の急激な進行はおこらなかった。
【００２４】
前記甘柿果実のくん蒸方法１から炭酸ガス濃度を６０％より高い濃度に変更した場合、甘柿果実の軟化の発生が確認された。
【００２５】
前記甘柿果実のくん蒸方法１から炭酸ガス濃度を３０％より低い濃度に変更した場合、図３に示すとおり、供試虫の死虫率の低下が確認された。
【００２６】
前記甘柿果実のくん蒸方法１から前記くん蒸室１０内の温度を５℃に変更した場合、甘柿果実の急激な軟化が確認された。
【００２７】
前記甘柿果実のくん蒸方法１から前記くん蒸室１０内の温度を−５℃に変更した場合、甘柿果実の凍結が確認された。
【００２８】
図４に示すように、くん蒸室１０内の温度を低温（本実験においては−１℃）にしてくん蒸を行った場合、くん蒸室１０内の温度が２５℃の場合に比べてカイガラムシ類の死虫率が大幅に向上した。
【００２９】
以上より、炭酸ガス濃度３０％〜６０％、−４℃〜４℃の環境で甘柿果実のくん蒸を実施することが適切であることを確認した。
【００３０】
［発明を実施するための異なる形態］
次に、図５および図６に示す本発明を実施するための異なる形態について説明する。なお、この本発明を実施するための異なる形態の説明に当って、前記本発明を実施するための第１の形態と同一構成部分には同一符号を付して重複説明を省略する。
【００３１】
図５に示す本発明を実施するための第２の形態において、前記本発明を実施するための第１の形態と主に異なる点は、供給弁２７を自動供給弁２８に、排気弁１５を自動排気弁１６に変更し、自動供給弁２８および自動排気弁１６を炭酸ガス濃度計１３に自動弁制御配線１８で接続し、それぞれ炭酸ガス濃度計１３によって計測された濃度により自動でガスを供給、排出をおこなう事ができ、くん蒸室１０の炭酸ガスの濃度が低下した場合には自動で炭酸ガスの追加供給をおこなう事ができる炭酸ガス濃度調整工程および炭酸ガス濃度調整手段１９Ａにした点で、このような甘柿果実のくん蒸方法１Ａおよび甘柿果実のくん蒸装置２Ａにしても、前記本発明を実施するための第１の形態と同様の効果が得られる。
【００３２】
図６に示す本発明を実施するための第３の形態において、前記本発明を実施するための第１の形態と主に異なる点は、希釈炭酸ガス供給装置２０を炭酸ガス容器４１と、供給弁４３を介装した炭酸ガス供給路４２で構成される炭酸ガス供給装置４０に変更し、これを用いた炭酸ガス供給工程にした点で、このような甘柿果実のくん蒸方法１Ｂおよび甘柿果実のくん蒸装置２Ｂにしても、前記本発明を実施するための第１の形態と同様の効果が得られるとともに、希釈炭酸ガス供給装置２０に比べコストダウンがはかれる。
【００３３】
前記第３の形態において炭酸ガスの供給方法は、予めくん蒸室１０が３０％〜６０％となる炭酸ガス必要量をその内容積を基に計算し、その必要量の炭酸ガスを炭酸ガス供給装置４０により供給する。その際炭酸ガスは空気より重いため、前記くん蒸室１０内の低部に滞留し、前記くん蒸室１０内の空気は排気路１４より排出される。供給が終了したら供給弁４３と排出弁１４を閉止し、循環ブロワー１２にて攪拌して前記くん蒸室１０内の炭酸ガス濃度を均一にする。炭酸ガスの供給量は、炭酸ガス容器２１の重量や本数等で確認することができる。
【００３４】
また、炭酸ガスの供給方法について、炭酸ガスが低部に滞留する性質を利用する方法もある。この場合は炭酸ガス濃度計１３により前記くん蒸室１０内の一定の高さまで炭酸ガスの滞留が確認できたら供給弁４３と排出弁１４を閉止し、循環ブロワー１２にて攪拌して前記くん蒸室１０内の炭酸ガス濃度を均一にする。一定の高さは、前記くん蒸室１０の形状や容積から計算する又は試運転することにより、攪拌後に３０％〜６０％となる高さを求める。
【産業上の利用の可能性】
【００３５】
本発明は、甘柿果実を生産、処理、流通、販売する産業で利用される。
【符号の説明】
【００３６】
１：甘柿果実のくん蒸方法、      ２：甘柿果実のくん蒸装置、
４：甘柿果実、                  ５：コンテナ、
１０：くん蒸室、                １２：循環ブロワー、
１３：炭酸ガス濃度計、          １４：排気路、
１５：排気弁、                  １６：自動排気弁、
１７：炭酸ガス濃度計ガスサンプル供給路、
１８：自動弁制御配線、          １９：炭酸ガス濃度調整手段、
２０：希釈炭酸ガス供給装置、    ２１：炭酸ガス容器、
２２：炭酸ガス供給路、          ２３：エアーコンプレッサー、
２４：エアー供給路、            ２５：ガス混合装置、
２６：希釈炭酸ガス供給路、      ２７：供給弁、
２８：自動供給弁、              ３０：温度調整装置、
３１：温度調整装置室内機、      ３２：温度調整装置室外機、
３３：冷媒配管、                ４０：炭酸ガス供給装置、
４１：炭酸ガス容器、            ４２：炭酸ガス供給路、
４３：供給弁。
【図１】
0006041293.tif 000002
【図２】
0006041293.tif 000003
【図３】
0006041293.tif 000004
【図４】
0006041293.tif 000005
【図５】
0006041293.tif 000006
【図６】
0006041293.tif 000007